(57)【要約】【課題】不要な警告を抑制しつつ、外出を許可されていない人物については警告できる監視システム、監視方法および監視プログラムを提供する。【解決手段】監視システムＸは、所定場所を通過する通過人物を撮像する撮像部Ｗと、報知対象者の特徴、及び、警告による報知を行わない条件である警告不要条件を記憶する記憶部４と、撮像部Ｗにより撮像された通過人物の特徴と記憶部４に記憶された報知対象者の特徴とを照合して、通過人物が報知対象者であるか否かを認証する認証部８５と、通過人物が報知対象者であることの報知を制御する制御部８と、を備え、制御部８は、認証部８５により通過人物が報知対象者であると認証された場合において、警告不要条件を充足している場合には警告による報知を行わないように制御する。【選択図】図３
2020160573.tif 000002
【特許請求の範囲】
【請求項１】
所定場所を通過する通過人物を撮像し、当該通過人物が予め登録された報知対象者であれば報知可能な監視システムにおいて、
前記所定場所を通過する前記通過人物を撮像する撮像部と、
前記報知対象者の特徴、及び、警告による報知を行わない条件である警告不要条件を記憶する記憶部と、
前記撮像部により撮像された前記通過人物の特徴と前記記憶部に記憶された前記報知対象者の特徴とを照合して、前記通過人物が前記報知対象者であるか否かを認証する認証部と、
前記通過人物が前記報知対象者であることの報知を制御する制御部と、を備え、
前記制御部は、前記認証部により前記通過人物が前記報知対象者であると認証された場合において、前記警告不要条件を充足している場合には警告による報知を行わないように制御する
ことを特徴とする監視システム。
【請求項２】
前記制御部は、前記認証部により前記通過人物が前記報知対象者であると認証された場合において、前記警告不要条件を充足している場合には、前記警告と異なる態様で報知するように制御する
ことを特徴とする請求項１に記載の監視システム。
【請求項３】
前記制御部は、前記認証部により前記通過人物が前記報知対象者であると認証された場合において、前記警告不要条件を充足している場合には、前記警告を行わなかった理由を報知するように制御する
ことを特徴とする請求項２に記載の監視システム。
【請求項４】
前記警告不要条件が複数あり、
前記制御部は、夫々の前記警告不要条件に応じて異なる態様で報知するように制御する
ことを特徴とする請求項１〜３の何れか一項に記載の監視システム。
【請求項５】
前記記憶部は、前記認証部により前記通過人物が前記報知対象者であると認証された場合において、前記警告不要条件を充足している場合には、前記報知対象者の履歴情報を記憶する
ことを特徴とする請求項１〜４の何れか一項に記載の監視システム。
【請求項６】
前記履歴情報を表示する表示部と、
前記履歴情報の報知の要求を受け付ける受付部と、をさらに備え、
前記制御部は、前記受付部を介して前記履歴情報の報知の要求を受け付けたとき、前記表示部に前記履歴情報を表示させる
ことを特徴とする請求項５に記載の監視システム。
【請求項７】
前記所定場所は、前記報知対象者の施設への出入りが確認できる場所であり、
前記制御部は、外出して戻っていない状態の前記報知対象者の前記履歴情報を前記表示部に表示させる
ことを特徴とする請求項６に記載の監視システム。
【請求項８】
前記所定場所は、前記報知対象者の施設への出入りが確認できる場所であり、
前記記憶部は、前記警告不要条件として前記報知対象者の外出許可期間を記憶している
ことを特徴とする請求項１〜７の何れか一項に記載の監視システム。
【請求項９】
前記外出許可期間は、前記報知対象者が前記施設を出た外出時刻と前記報知対象者が前記施設に戻った帰着時刻とを含んでおり、
前記制御部は、前記施設を出た前記報知対象者が前記帰着時刻を経過後であっても前記施設に戻っていないときに前記警告による報知を行うように制御する
ことを特徴とする請求項８に記載の監視システム。
【請求項１０】
前記記憶部は、前記報知対象者に付き添って外出することが許可されている付添者の特徴を記憶しており、
前記警告不要条件は、前記撮像部により撮像された複数の前記通過人物が、前記報知対象者及び前記付添者であると前記認証部により認証されることである
ことを特徴とする請求項１〜９の何れか一項に記載の監視システム。
【請求項１１】
前記記憶部は、前記報知対象者と前記付添者とを紐付けて記憶している
ことを特徴とする請求項１０に記載の監視システム。
【請求項１２】
前記付添者に対して所定の情報を通知する通知部をさらに備え、
前記制御部は、前記警告不要条件を充足している場合、前記通知部を介して、前記所定の情報を前記付添者に通知するように制御する
ことを特徴とする請求項１０又は１１に記載の監視システム。
【請求項１３】
前記制御部は、前記撮像部により撮像された複数の前記通過人物に、外出することが許可されていない前記報知対象者であると前記認証部により認証された前記通過人物が含まれている場合、前記警告による報知を行うように制御する
ことを特徴とする請求項１０〜１２の何れか一項に記載の監視システム。
【請求項１４】
前記報知対象者の施設への出入りが確認できる場所のうち、前記所定場所以外の場所を通過する前記通過人物を撮像する別の撮像部をさらに備え、
前記制御部は、前記別の撮像部により撮像された前記通過人物が、前記報知対象者であると前記認証部により認証されたとき、前記警告による報知を行なうように制御する
ことを特徴とする請求項１〜１３の何れか一項に記載の監視システム。
【請求項１５】
所定場所を通過する通過人物を撮像し、予め登録された報知対象者であれば報知可能な監視方法において、
前記所定場所を通過する前記通過人物を撮像する撮像ステップと、
前記報知対象者の特徴、及び、警告による報知を行わない条件である警告不要条件を記憶する記憶ステップと、
前記通過人物の特徴と前記報知対象者の特徴とを照合して、前記通過人物が前記報知対象者であるか否かを認証する認証ステップと、
前記通過人物が前記報知対象者であることの報知を制御する制御ステップと、を備え、
前記制御ステップは、前記認証ステップにより前記通過人物が前記報知対象者であると認証された場合において、前記警告不要条件を充足している場合には警告による報知を行わないように制御する
ことを特徴とする監視方法。
【請求項１６】
所定場所を通過する通過人物を撮像し、予め登録された報知対象者であれば報知可能な形態を制御する処理をコンピュータに実行させるための監視プログラムにおいて、
前記所定場所を通過する前記通過人物の特徴を入力する入力処理と、
前記通過人物の特徴と前記報知対象者の特徴とを照合して、前記通過人物が前記報知対象者であるか否かを認証する認証処理と、
警告による報知を行わない条件である警告不要条件を充足するか否かを判定する判定処理と、
前記通過人物が前記報知対象者であることの報知を制御する制御処理と、を備え、
前記制御処理は、前記認証処理により前記通過人物が前記報知対象者であると認証された場合において、前記警告不要条件を充足している場合には警告による報知を実行しないように制御する
ことを特徴とする監視プログラム。
【発明の詳細な説明】
【技術分野】
【０００１】
本発明は、所定場所を通過する通過人物を撮像し、通過人物が予め登録された人物であれば報知可能な監視システム、監視方法および監視プログラムに関する。
【背景技術】
【０００２】
従来、所定場所を通過する通過人物の顔画像等をカメラで撮像し、撮像された人物が予め登録された人物（報知対象者）であると認証されれば報知する監視システムが存在する。この監視システムは、セキュリティ、防犯、警備、万引き防止、顧客認識などを目的として用いられている。認証においては、通過人物の顔画像から人物の特徴を抽出し、抽出された人物の特徴と予め登録された報知対象者の特徴とを照合する。そして、監視システムは、抽出された人物の特徴が予め登録された報知対象者の特徴と整合するか否か（例えば類似度が所定値以上か否か）を認証する。報知対象者としては、例えば、店舗における万引犯や介護施設における徘徊者等の要注意人物が挙げられる。特徴が整合すると判断され報知対象者があると認証された場合、報知システムは、認証した報知対象者の特徴に係る情報等を特定し、特定された情報等を監視システムの監視者等に報知（警告、通知等）する。これにより、監視者等は、予め登録された報知対象者が所定場所を通過したことを確認できる。
【０００３】
ここで、撮像された人物の特徴が予め登録された報知対象者の特徴と整合した場合に報知することが一般的ではあるが、これに限られない。例えば、特許文献１に記載の監視システムにおいては、施設の職員、単独で外出できる施設利用者及び施設利用者の家族等の外出許可者の特徴が予め登録されている。そして、登録されていない人物が報知対象者である。この監視システムは、所定場所（施設の出口にある顔認証エリア）を通過する通過人物をカメラで撮像し、この通過人物が外出許可者であると認証された場合には、警告（報知）を行わない。また、特許文献１には、外出許可者である施設の職員と報知対象者がほぼ同時に映った場合には、施設の職員が報知対象者を連れ添って外出を行うものと監視システムが判断して、警告を行わない実施形態も開示されている。特許文献１に記載の監視システムは、全ての者を警告の対象である報知対象者としつつ予め登録された外出許可者に限り例外的に警告しないことで、施設外に出る者を漏らさずチェックする技術である。
【先行技術文献】
【特許文献】
【０００４】
【特許文献１】特開２０１２−２５２５６９号公報
【発明の概要】
【発明が解決しようとする課題】
【０００５】
しかしながら、特許文献１に記載の監視システムにおいては、外出許可者としての特徴が登録されていない人物については原則として全て警告していることから不要な警告が多くなることが想定される。例えば、施設利用者の家族や施設への出入業者等であってもカメラに映し出された場合には、予め登録されていない限り警告を発してしまう。一方、不要な警告を抑制するためには、施設利用者の家族や施設への出入業者等の特徴を全て登録しなければならず、この作業は煩に耐えない。
【０００６】
そこで、不要な警告を抑制しつつ、外出を許可されていない人物については警告できる監視システム、監視方法および監視プログラムが望まれている。
【課題を解決するための手段】
【０００７】
本発明に係る監視システムの特徴構成は、所定場所を通過する通過人物を撮像し、当該通過人物が予め登録された報知対象者であれば報知可能な監視システムにおいて、前記所定場所を通過する前記通過人物を撮像する撮像部と、前記報知対象者の特徴、及び、警告による報知を行わない条件である警告不要条件を記憶する記憶部と、前記撮像部により撮像された前記通過人物の特徴と前記記憶部に記憶された前記報知対象者の特徴とを照合して、前記通過人物が前記報知対象者であるか否かを認証する認証部と、前記通過人物が前記報知対象者であることの報知を制御する制御部と、を備え、前記制御部は、前記認証部により前記通過人物が前記報知対象者であると認証された場合において、前記警告不要条件を充足している場合には警告による報知を行わないように制御する点にある。
【０００８】
本発明に係る監視方法の特徴は、所定場所を通過する通過人物を撮像し、予め登録された報知対象者であれば報知可能な監視方法において、前記所定場所を通過する前記通過人物を撮像する撮像ステップと、前記報知対象者の特徴、及び、警告による報知を行わない条件である警告不要条件を記憶する記憶ステップと、前記通過人物の特徴と前記報知対象者の特徴とを照合して、前記通過人物が前記報知対象者であるか否かを認証する認証ステップと、前記通過人物が前記報知対象者であることの報知を制御する制御ステップと、を備え、前記制御ステップは、前記認証ステップにより前記通過人物が前記報知対象者であると認証された場合において、前記警告不要条件を充足している場合には警告による報知を行わないように制御する点にある。
【０００９】
本発明に係る監視プログラムの特徴構成は、所定場所を通過する通過人物を撮像し、予め登録された報知対象者であれば報知可能な形態を制御する処理をコンピュータに実行させるための監視プログラムにおいて、前記所定場所を通過する前記通過人物の特徴を入力する入力処理と、前記通過人物の特徴と前記報知対象者の特徴とを照合して、前記通過人物が前記報知対象者であるか否かを認証する認証処理と、警告による報知を行わない条件である警告不要条件を充足するか否かを判定する判定処理と、前記通過人物が前記報知対象者であることの報知を制御する制御処理と、を備え、前記制御処理は、前記認証処理により前記通過人物が前記報知対象者であると認証された場合において、前記警告不要条件を充足している場合には警告による報知を実行しないように制御する点にある。
【００１０】
本構成又は本方法では、報知対象者であると認証されれば報知可能であるので、報知対象者を漏れなく報知することができる。このとき、報知対象者であると認証された場合であっても、例えば、通過人物が外出を許可された者である等の警告不要条件を充足していれば、警告を実行しない。つまり、報知対象者であることを報知するとき、要注意人物のみを警告して、それ以外の者に対しては不要な警告をしない。その結果、報知対象者であれば常に警告が実行されることで監視者等が煩わしさを感じるといった不都合を防止できる。このように、不要な警告を抑制しつつ、外出を許可されていない人物については警告できる監視システム、監視方法および監視プログラムを提供できた。
【００１１】
他の特徴構成は、前記制御部は、前記認証部により前記通過人物が前記報知対象者であると認証された場合において、前記警告不要条件を充足している場合には、前記警告と異なる態様で報知するように制御する点にある。
【００１２】
本構成では、認証部により報知対象者であると認証された場合、警告不要条件を充足していれば警告と異なる態様で報知する。これにより、例えば、通過人物が徘徊者等の要注意人物である場合には、警告をして監視者等に注意を促し、通過人物が外出を許可された者である場合には、警告と異なる報知により外出した旨を監視者等に把握させるといった運用が可能となる。
【００１３】
他の特徴構成は、前記制御部は、前記認証部により前記通過人物が前記報知対象者であると認証された場合において、前記警告不要条件を充足している場合には、前記警告を行わなかった理由を報知するように制御する点にある。
【００１４】
本構成のように、警告不要条件を充足していれば警告を行わなかった理由を報知することにより、監視者等は、報知対象者がどういった人物なのかを容易に把握することができる。
【００１５】
他の特徴構成は、前記警告不要条件が複数あり、前記制御部は、夫々の前記警告不要条件に応じて異なる態様で報知するように制御する点にある。
【００１６】
本構成のように、例えば外出が許可された者や付添者がいる報知対象者等の警告不要条件が複数ある場合、夫々の警告不要条件に応じて報知態様を異ならせることで、監視者等は、警告を実行しなかった報知対象者の属性（外出許可者等）を容易に把握することができる。
【００１７】
他の特徴構成は、前記記憶部は、前記認証部により前記通過人物が前記報知対象者であると認証された場合において、前記警告不要条件を充足している場合には、前記報知対象者の履歴情報を記憶する点にある。
【００１８】
本構成のように、記憶部が警告を実行しなかった報知対象者の履歴情報を記憶することにより、例えば報知対象者の外出状況を監視者等が自由に閲覧できる。その結果、警告を実行しなかった報知対象者の現状を把握することが可能となり、利便性を高めることができる。
【００１９】
他の特徴構成は、前記履歴情報を表示する表示部と、前記履歴情報の報知の要求を受け付ける受付部と、をさらに備え、前記制御部は、前記受付部を介して前記履歴情報の報知の要求を受け付けたとき、前記表示部に前記履歴情報を表示させる点にある。
【００２０】
本構成のように、監視者等の受付部の操作により履歴情報を表示するように構成すれば、監視者等が必要な時に必要な情報を得ることができるため、利便性が高い。
【００２１】
他の特徴構成は、前記所定場所は、前記報知対象者の施設への出入りが確認できる場所であり、前記制御部は、外出して戻っていない状態の前記報知対象者の前記履歴情報を前記表示部に表示させる点にある。
【００２２】
本構成のように、表示部により外出許可者が外出して戻っていない状態の履歴情報を表示すれば、監視者等は、戻っていない外出許可者を容易に把握することができる。
【００２３】
他の特徴構成は、前記所定場所は、前記報知対象者の施設への出入りが確認できる場所であり、前記記憶部は、前記警告不要条件として前記報知対象者の外出許可期間を記憶している点にある。
【００２４】
本構成のように、警告不要条件として外出許可者の外出許可期間とすれば、外出許可者が外出許可期間を守って外出していれば警告しないため、監視者等に誤解を与えることがない。
【００２５】
他の特徴構成は、前記外出許可期間は、前記報知対象者が前記施設を出た外出時刻と前記報知対象者が前記施設に戻った帰着時刻とを含んでおり、前記制御部は、前記施設を出た前記報知対象者が前記帰着時刻を経過後であっても前記施設に戻っていないときに前記警告による報知を行うように制御する点にある。
【００２６】
本構成では、外出許可者であっても帰着時刻経過後に施設に戻っていなければ警告する。このため、監視者等は、外出許可期間を超過した外出許可者を容易に把握することが可能となり、必要な手段を迅速に講じることができる。
【００２７】
他の特徴構成は、前記記憶部は、前記報知対象者に付き添って外出することが許可されている付添者の特徴を記憶しており、前記警告不要条件は、前記撮像部により撮像された複数の前記通過人物が、前記報知対象者及び前記付添者であると前記認証部により認証されることである点にある。また、前記記憶部は、前記報知対象者と前記付添者とを紐付けて記憶していても良い。
【００２８】
本構成では、付添者（例えば付添職員）が報知対象者に付き添って外出する場合において、警告をしない。その結果、不要な警告を抑制することができる。
【００２９】
他の特徴構成は、前記付添者に対して所定の情報を通知する通知部をさらに備え、前記制御部は、前記警告不要条件を充足している場合、前記通知部を介して、前記所定の情報を前記付添者に通知するように制御する点にある。
【００３０】
本構成のように、付添者（例えば付添職員）に対して、所定の情報（例えば付添職員が付き添う報知対象者の情報）を通知すれば、付添者が付き添う報知対象者についての情報を付添者自身に知らせることができる。その結果、付添者は、安心して報知対象者を連れ出すことができる。
【００３１】
他の特徴構成は、前記制御部は、前記撮像部により撮像された複数の前記通過人物に、外出することが許可されていない前記報知対象者であると前記認証部により認証された前記通過人物が含まれている場合、前記警告による報知を行うように制御する点にある。
【００３２】
本構成では、付添者が報知対象者に付き添って外出する場合であっても、外出を許可されていない報知対象者がほぼ同時に撮像部に映った場合などにおいて、警告をする。その結果、外出許可者と要注意人物とが一緒に外出する場合、警告をして監視者等に注意を促すことができる。
【００３３】
他の特徴構成は、前記報知対象者の施設への出入りが確認できる場所のうち、前記所定場所以外の場所を通過する前記通過人物を撮像する別の撮像部をさらに備え、前記制御部は、前記別の撮像部により撮像された前記通過人物が、前記報知対象者であると前記認証部により認証されたとき、前記警告による報知を行なうように制御する点にある。
【００３４】
本構成では、外出許可者が使用できる出口以外の場所（例えば職員専用口）から外出しようとする場合には警告する。その結果、不正に病院から抜け出す報知対象者を確実に把握することができる。
【図面の簡単な説明】
【００３５】
【図１】報知対象者が外出するときの監視システムを示す概念図である。
【図２】報知対象者が付添者と共に外出するときの監視システムを示す概念図である。
【図３】監視システムのブロック図である。
【図４】表示部による報知の一例を示す図である。
【図５】履歴情報を表示部に表示させた一例を示す図である。
【図６】携帯端末に通知する一例を示す図である。
【図７】監視システムの制御フローである。
【図８】監視システムの制御フローである。
【発明を実施するための形態】
【００３６】
以下に、本発明に係る監視システム、監視方法および監視プログラムの実施形態について、図面に基づいて説明する。本実施形態では、監視システムの一例として、施設としての病院で用いられる監視システムＸとして説明する。ただし、以下の実施形態に限定されることなく、その要旨を逸脱しない範囲内で種々の変形が可能である。
【００３７】
図１〜図２に示すように、本実施形態における監視システムＸは、病院における所定の出入口（所定場所の一例）を通過する通過人物を複数（本実施形態では４つ）のカメラＷ（撮像部の一例）で撮像し、通過人物が含まれる動画データが管理用サーバーＳに送信され、監視者等（操作者）が管理用サーバーＳに表示された情報に基づいて報知対象者Ｐを確認できるものである。ここで、図１の例では、病院の出入口が１箇所で共有されており、複数のカメラＷは、出口側に設置され施設内を撮像する１つ（Camera1）、出口側に設置され施設外を撮像する１つ（Camera2）、入口側に設置され施設内を撮像する１つ（Camera3）、入口側に設置され施設外を撮像する１つ（Camera4）の合計４つ設置されている。また、通過人物とは、病院の出入口を通過する人物全てであり、入院患者、外来患者、病院職員、出入業者、患者の家族等が含まれている。本実施形態における報知対象者Ｐとは、予め登録された登録顔データ（報知対象者の特徴の一例）に対応する入院患者のことである。
【００３８】
監視システムＸは、通過人物の顔画像（通過人物の特徴の一例）及び顔の特徴量（通過人物の特徴の一例）が登録顔データと整合している場合、この通過人物を報知対象者Ｐとして認証する。ここで、「登録顔データ」とは、予め報知対象者Ｐとして登録された顔画像及び顔の特徴量である。ここで、「特徴量」とは、顔の輪郭、色合い及び表面形状等の特徴情報を含むデータのことである。
【００３９】
本実施形態における監視システムＸは、報知対象者Ｐであると認証された場合、通過人物が報知対象者Ｐであることを報知可能である。このとき、警告不要条件を充足していない場合に限り警告による報知を行う。一方、報知対象者Ｐであると認証された場合であっても、警告不要条件を充足している場合には警告による報知を行わない。以下、本実施形態に係る監視システムＸの詳細について説明する。
【００４０】
図３に示すように、監視システムＸは、カメラＷと管理用サーバーＳと報知装置Ａと携帯端末Ｋ（通知部の一例）とを備えている。管理用サーバーＳは、カメラＷ及び報知装置Ａに対して有線又は無線で構成されるネットワークを介して通信接続されており、携帯端末Ｋに対して無線ＬＡＮ又はインターネット回線で通信接続されている。
【００４１】
通過人物を撮像するカメラＷは、ＣＣＤやＣＭＯＳ等の撮像素子を内蔵した可視光カメラである。カメラＷは、病院の出入口等に所定の画角で設置されており、通過人物を撮像して動画データを取得する。この動画データには、撮影日時及び撮影したカメラＷの属性情報（ＩＤ等）も含まれている。
【００４２】
報知装置Ａは、管理用サーバーＳが配置された監視室等に設けられたスピーカーＡａと報知ランプＡｂとを有している（図１〜図２も参照）。報知装置Ａは、後述する制御部８の報知制御部８１により作動が制御される。
【００４３】
携帯端末Ｋは、病院職員が携帯するスマートフォンやタブレット等で構成されている（図２も参照）。携帯端末Ｋは、後述する制御部８の通知制御部８３により作動が制御される。
【００４４】
図３に示すように、管理用サーバーＳは、ＣＰＵやメモリを中核とするコンピュータで構成されており、通信部１と受付部２と表示部３と記憶部４と制御部８とを備えている。
【００４５】
通信部１は、カメラＷが撮像した通過人物が含まれる動画データを有線ＬＡＮ又は無線ＬＡＮ等で構成されるネットワークを介して受信するためのインターフェースである。また、通信部１は有線ＬＡＮ又は無線ＬＡＮ等で構成されるネットワークを介して報知装置Ａに指示情報を送信するためのインターフェースである。さらに、通信部１は、携帯端末Ｋとの間で各種信号を無線ＬＡＮ又はインターネット回線により送受信するＷｅｂインターフェースである。
【００４６】
受付部２は、マウス、キーボード、タッチパネル等で構成されており、表示部３に表示された画面に対する監視者等の操作を受け付ける。例えば、マウス操作によりポインタを表示画面の所定位置に移動させ、マウスをその位置でクリックすることで所定の操作が実行される。
【００４７】
表示部３は、後述する制御部８の表示制御部８２により作動が制御される。表示部３は、コンピュータのディスプレイで構成されており、動画データをリアルタイムに表示し、併せて、カメラＷで撮像された通過人物が報知対象者Ｐである場合にその報知対象者Ｐの顔画像を示すサムネイルを表示する。サムネイルとは、顔画像を一覧表示するために公知の圧縮方式で符号化圧縮された圧縮画像のことである。このサムネイルには、カメラＷの属性情報や撮影日時等が紐づけられている。
【００４８】
表示部３の一例としては、図４に示すように、画面左上側の枠内（ライブビューアー）に複数のカメラＷで撮像された動画データをリアルタイムに表示するものが挙げられる。また、表示部３は、画面右上側の枠内（アラートモニター／報知モニター）に動画データから検出された通過人物が記憶部４に既に登録済みであると認証された場合に、その通過人物の情報（顔画像及び動画データ）、報知理由、カメラＷのＩＤ及び撮像日時等を一覧表示する。さらに、表示部３は、画面右中ほどの枠内（アプリケーションの起動）に、報知対象者Ｐの履歴情報の一覧表示アプリケーション（図５参照）と報知対象者Ｐの登録顔データの登録アプリケーションとを含む各種アプリケーションのアイコン一覧を表示している。ここで、報知対象者Ｐの履歴情報には、報知対象者Ｐの顔画像、離院時刻（外出時刻の一例）及び帰院時刻（帰着時刻の一例）等を含んでいる。なお、外出時刻とは、施設を出発した時刻であり、帰着時刻とは、施設に戻った時刻のことである。
【００４９】
記憶部４はＲＡＭやＨＤＤといったハードウェアで構成されており、登録顔データと、カメラＷの属性情報や撮像日時が紐づけられた、動画データ，顔画像及び顔の特徴量と、各種プログラム等とが記憶されている。登録顔データには、報知対象者Ｐの登録顔データに加えて、付添者Ｈ（病院職員である外出看護職員）の登録顔データ（付添者の特徴の一例）が含まれている。記憶部４は、短期保存モードとして、全動画データを短期間（例えば２週間）分保存しており、さらに長期保存モードとして、通過人物が撮像されていないデータを除いた動画データを長期間（例えば２ヶ月から２週間を減じた期間）分保存している。この記憶部４に記憶される動画データは、公知の圧縮形式で符号化圧縮されたものであっても良い。
【００５０】
また、記憶部４には、警告による報知を行わない警告不要条件と報知対象者Ｐの履歴情報とが記憶されている。警告不要条件には、警告による報知を行わない報知対象者Ｐの属性（外出許可者等）と報知対象者Ｐに付随する各種条件（外出許可期間，外出回数等）と撮像時の環境（付添者Ｈと共に映る場合の間隔等）とが含まれている。報知対象者Ｐの履歴情報には、報知対象者Ｐの顔画像と外出した報知対象者Ｐの離院時刻（病院を出発した時刻）及び帰院時刻（病院に戻った時刻）と報知対象者Ｐの属性（外出許可者等）とが含まれている。この警告不要条件及び報知対象者Ｐの履歴情報については、詳細を後述する。
【００５１】
制御部８は、検出部８４と認証部８５と登録部８６と報知制御部８１と表示制御部８２と通知制御部８３とを有している。これらの機能部は、記憶部４からメモリに一時的に読み出されたプログラムに基づき、ＣＰＵ等の制御回路によって実行される。
【００５２】
検出部８４は、動画データに含まれる通過人物の顔領域を検出する処理を実行する。例えば、動画データに含まれる複数の静止画データを順次メモリ上に展開し、通過人物の顔領域に相当するテンプレートを用いたテンプレートマッチング等を行うことで、顔領域を検出する。このとき、複数の静止画データが連続しており、この連続する複数の静止画データに同一人物が含まれている場合には、連続する１つの区間として特定される。また、動画データ上の通過人物が途中で消え、再度動画データに映っている場合には、原則として別々の区間として特定されるが、所定時間内（例えば１秒以内）であれば１つの区間として特定しても良い。
【００５３】
認証部８５は、動画データ上に登録顔データに対応する通過人物が映っているか否かを判定する処理を実行する。認証部８５は、検出部８４で検出された顔領域から顔の特徴量を抽出し、当該顔の特徴量と登録顔データに含まれる登録された顔の特徴量とを照合し、類似度に基づいて通過人物を認証する。例えば、動画データから抽出された顔の特徴量と、テンプレートとしての登録顔データに含まれる登録された顔の特徴量とを比較するテンプレートマッチング等により照合を行い、類似度が所定値（例えば８０％）以上の場合に、当該登録顔データに対応する通過人物であると認証する。
【００５４】
登録部８６は、図４に示す表示部３の画面右中ほどの枠内（アプリケーションの起動）の登録アプリケーションが選択された場合、通過人物の特徴を、登録顔データ（報知対象者の特徴）として登録するための登録処理を実行する。ここで、登録処理に用いられる通過人物の特徴とは、カメラＷで撮像された通過人物の顔画像及び顔の特徴量や、予め取得された入院患者の顔画像及び顔の特徴量である。この登録処理にあたって、入院患者の属性（外出許可者や外出不許可者等）や外出許可期間も登録される。外出許可期間とは、報知対象者Ｐが外出することのできる開始日時と終了日時との間の期間のことである。
【００５５】
制御部８の基本的な報知制御形態について説明する。制御部８は、カメラＷで撮像された通過人物が報知対象者Ｐであることの報知を制御する。この制御部８は、認証部８５により通過人物が報知対象者Ｐであると認証された場合において、警告不要条件を充足している場合には警告による報知を行わず、警告と異なる態様で報知するように制御する。一方、制御部８は、認証部８５により通過人物が報知対象者Ｐであると認証された場合において、警告不要条件を充足していない場合には警告による報知を実行するように制御する。ここで、「警告」とは、報知の一態様であるが、警告不要条件を充足しない報知対象者Ｐが外出したときに、人間が直感的に緊急事態であると把握できる報知態様のことである。「警告と異なる態様」とは、警告とは異なる報知の態様であり、報知対象者Ｐが外出したことを監視者等が認識できる程度の報知態様のことである。「警告不要条件」とは、警告による報知を行わない条件であり、報知対象者Ｐに対応付けられた外出許可期間を守って報知対象者Ｐが外出した場合や報知対象者Ｐに対応付けられていない付添者Ｈが報知対象者Ｐを共連れする場合が含まれる。なお、記憶部４に報知対象者Ｐと紐付けられた付添者Ｈを記憶させ、「警告不要条件」として、報知対象者Ｐに対応付けられている付添者Ｈが報知対象者Ｐを共連れする場合を含ませても良い。
【００５６】
本実施形態では、下記の警告不要条件（１）〜（３）を例として規定する。
（１）報知対象者Ｐとしての入院患者が外出を許可された者（以下、「外出許可者」と言う）であり、外出許可期間の離院時刻以降に病院の出入口から外出した場合（適正離院、図１の例、図４の許可者通知に該当する報知対象者Ｐ２）
（２）外出許可者であり、外出許可期間の帰院時刻以前に病院の出入口を通過して戻った場合（適正帰院、図５の報知対象者Ｐ１）
（３）報知対象者Ｐ１としての入院患者が、所定の条件下で、報知対象者Ｐ１と付き添って外出することが許可されている付添者Ｈ（病院職員である外出看護職員）と共に外出する場合（共連れ外出、図２の例、図４の職員付通知）
ここで、所定の条件下とは、「所定の時間間隔又は距離間隔で報知対象者Ｐ及び付添者ＨがカメラＷで撮像された場合」や「同一の画像に報知対象者Ｐ及び付添者ＨがカメラＷに映っている場合」等が挙げられる。
【００５７】
このように、警告不要条件（１）〜（３）が複数あるため、制御部８は、夫々の警告不要条件に応じて異なる態様で報知するように制御することが好ましい。制御部８は、警告不要条件（１）〜（２）の場合は、表示部３による報知に留め、警告不要条件（３）の場合は、表示部３による報知に加えて、付添者Ｈの携帯端末Ｋに所定の情報を通知するように制御しても良い（図６参照）。また、制御部８は、外出許可者であっても、警告不要条件（１）を充足する報知対象者Ｐ２と警告不要条件（３）を充足する報知対象者Ｐ１との場合で、異なる報知態様（例えば表示色を異ならせる）としている（図４参照）。このように、夫々の警告不要条件に応じて報知態様を異ならせることで、監視者等は、報知対象者Ｐの属性（付添者Ｈがいる外出許可者、外出許可者等）を容易に把握することができる。
【００５８】
その他の警告不要条件としては、外出許可者であり、１カ月の外出許可回数以内で病院の出入口から外出した場合や１カ月の外出許可時間以内で病院の出入口から外出した場合等も例示されるが、理解を容易にするために警告不要条件（１）〜（３）を用いて以降説明する。
【００５９】
これらの警告不要条件を充足していない例として、下記の警告ケース（４）〜（８）が想定される。
（４）警告不要条件（１）を充足しない場合として、報知対象者Ｐとしての入院患者が外出を許可されていない者（徘徊者等の要注意人物、以下「要注意人物」と言う）であり、該要注意人物が病院の出入口から外出した場合
（５）警告不要条件（１）を充足しない場合として、報知対象者Ｐとしての入院患者が、病院の出入口以外の場所（例えば、職員用出入口）から外出した場合（病院の出入口以外の出入口に設置された別のカメラ（不図示、別の撮像部の一例）に報知対象者Ｐが映っている場合）
（６）警告不要条件（２）を充足しない場合として、外出許可者が帰院時刻を経過後であっても病院に戻っていない場合
（７）警告不要条件（２）を充足しない場合として、外出許可者が病院の出入口以外の場所（例えば、職員用出入口）を通過して戻った場合
（８）警告不要条件（３）を充足しない場合として、外出許可者であるが、所定の条件下で、要注意人物がカメラＷに共に映っている場合
ここで、所定の条件下とは、「所定の時間間隔又は距離間隔で外出許可者及び要注意人物がカメラＷで撮像された場合」や「同一の画像に外出許可者及び要注意人物がカメラＷに映っている場合」等が挙げられる。つまり、警告不要条件（３）と同様に、所定の条件下とは、「所定の時間間隔又は距離間隔で特定の複数の通過人物がカメラＷで撮像された場合」や「同一の画像に特定の複数の通過人物がカメラＷに映っている場合」等のことである。
【００６０】
このように、制御部８は、報知対象者Ｐであると認証されれば報知を実行するので、報知対象者Ｐを漏れなく報知することができる。このとき、報知対象者Ｐであると認証された場合であっても、例えば、通過人物が外出許可者である等の警告不要条件を充足していれば、警告を実行しない。つまり、報知対象者Ｐであることを報知するとき、要注意人物のみを警告して、それ以外の者に対しては不要な警告をしない。その結果、報知対象者Ｐであれば常に警告が実行されることで監視者等が煩わしさを感じるといった不都合を防止できる。
【００６１】
また、認証部８５により報知対象者Ｐであると認証された場合、警告不要条件を充足していれば警告と異なる態様で報知する。これにより、例えば、通過人物が要注意人物である場合には、警告をして監視者等に注意を促し、通過人物が外出許可者である場合には、報知によりその外出時間等を監視者等に把握させるといった運用が可能となる。夫々の警告不要条件に応じて報知態様を異ならせることで、監視者等は、報知対象者Ｐの属性（付添者Ｈがいる報知対象者Ｐ、外出許可者等）を容易に把握することができる。
【００６２】
また、警告不要条件（１）〜（２）として外出許可者の外出許可期間を含めれば、外出許可者が外出許可期間を守って外出していれば警告しないため、監視者等に誤解を与えることがない。
【００６３】
また、警告不要条件（３）として報知対象者Ｐが付添者Ｈ（例えば付添職員）と共連れで外出を許可されている場合、この報知対象者Ｐと付添者Ｈがほぼ同時にカメラＷに映った場合などにおいて、警告をしない。その結果、不要な警告を抑制することができる。
【００６４】
報知制御部８１は、認証部８５の認証結果に基づき、報知装置Ａを作動させるための指示情報を生成し、この指示情報を通信部１を介して報知装置Ａに送信する。指示情報としては、「警告による報知」、「警告とは異なる態様での報知」がある。「警告」の一例として、報知ランプＡｂを赤点灯させて、監視者等に対して要注意人物が外出しようとしていることを知らせる。「警告とは異なる態様での報知」の一例として、報知ランプＡｂを通常色である例えば黄点灯に維持することにより、監視者等に外出許可者であり問題のないことを確認させる。ここで、「警告とは異なる態様での報知」には報知しないことも含まれる。
【００６５】
表示制御部８２は、認証部８５の認証結果に基づき、表示部３に対する表示制御を実行する。表示制御部８２は、通信部１を介してカメラＷから受信した動画データを、表示部３にリアルタイムに表示させる（図４に示す表示部３の画面左上側「ライブビューアー」参照）。このとき、検出部８４で検出された顔領域を枠で囲む等により強調表示しても良い。本実施形態では、複数のカメラＷから受信した複数の動画データを、カメラＷの属性情報と共に表示部３の同一画面上（図４に示す表示部３の画面左上側「ライブビューアー」参照）に表示させている。これにより、監視者等は、複数のカメラＷから取得した複数の動画データをまとめて閲覧することができる。
【００６６】
表示制御部８２は、認証部８５で登録顔データに対応する通過人物であると認証された報知対象者Ｐの顔画像を、当該通過人物が映っている動画データや登録データに含まれる登録顔画像と共に、表示部３に表示させる（図４に示す表示部３の画面右上側「アラートモニター／報知モニター」参照）。また、表示制御部８２は、各種設定が可能なアプリケーションのアイコンを一列に一覧表示して、表示部３に表示させる（図４に示す表示部３の画面右中ほど「アプリケーションの起動」参照）。
【００６７】
特に、表示制御部８２は、図４に示す表示部３の画面右上側「アラートモニター／報知モニター」において、警告を行わなかった理由の表示（職員付通知、許可者通知等）、警告を強調する表示（例えばオレンジ色で着色する等）及び報知不要条件を充足する報知対象者Ｐにおける異なる表示（例えば職員付報知は青色、許可者通知は水色に着色する等）を制御し、表示部３に実行させる。表示制御部８２は、警告を行わなかった理由として、警告不要条件（３）に該当する「職員付通知」や警告不要条件（１）に該当する「許可者通知」というように、監視者等が即座に理解できる内容を表示部３に表示させるように制御する。このように、警告不要条件を充足しているときに、警告を行わなかった理由を報知することにより、監視者等は、通過人物がどういった人物なのかを容易に把握することができる。また、表示部３は、警告すべき報知対象者ＰがカメラＷに映った時点で、「外出を許可されていない患者が外出します」というように、図４に示す表示部３の画面下側に強調表示しても良い。これにより、警告すべき報知対象者ＰがカメラＷに映った時点で、警告の強調表示を行えば、監視者等は、要注意人物を外出させないように即座に抑止行動に移行することができる。
【００６８】
また、表示制御部８２は、図４に示す表示部３の画面右中ほど「アプリケーションの起動」において、報知対象者Ｐの履歴情報の一覧表示アプリケーションのアイコンが受付部２を介してクリックされた場合（履歴情報の報知の要求を受け付けた場合）、図５の「離院／帰院リスト」画面に移行するように表示部３を制御する。この「離院／帰院リスト」画面には、画面表示させるカメラＷ，期間，登録区分等の選択が可能となっている。登録区分の「許可者」とは外出許可者のことであり、「職員付」とは付添者Ｈと共に外出した報知対象者Ｐであり、「特定者」とは外出許可者であるが警告不要条件を充足しない報知対象者Ｐであり、「警戒者」とは外出を許可されていない報知対象者Ｐである。
【００６９】
同図では、２０１８年の１２月２７日８時〜２０時に病院を外出（離院）した報知対象者Ｐ全員の履歴情報を一覧表示している。報知対象者Ｐ２は、警告不要条件（１）を充足する外出許可者であるが、離院時刻しか履歴情報として表示されておらず、帰院時刻が表示されていない。つまり、警告不要条件（２）を充足しない外出許可者であり、顔画像を赤枠で囲んで強調表示して警告による報知がされている。一方、報知対象者Ｐ１は、警告不要条件（３）を充足する外出許可者であり、離院時刻と帰院時刻の両方が履歴情報として表示されている。つまり、警告不要条件（２）を充足しているため、顔画像を通常の表示としている。このように、外出中の外出許可者であっても、外出許可期間外の報知対象者Ｐ２と外出許可期間内の報知対象者Ｐ１とで、報知態様を異ならせている。また、外出許可者であっても、警告不要条件（１）の場合と警告不要条件（３）の場合とで、異なる報知態様（例えば表示色を異ならせる）としている。
【００７０】
通知制御部８３は、認証部８５の認証結果に基づき、携帯端末Ｋに所定の情報を通知するように制御する。通知制御部８３は、警告不要条件（３）を充足している報知対象者Ｐに付き添う付添者Ｈに対して、付添者Ｈが所持している携帯端末Ｋを介して付添者Ｈに所定の情報を通知するように制御する（図６参照）。所定の情報とは、警告不要条件（３）を充足している報知対象者Ｐである旨、その報知対象者Ｐの属性情報（顔画像、名前等）や外出許可期間等である。このように、付添者Ｈに対して、所定の情報を通知すれば、付添者Ｈが付き添う報知対象者Ｐについての情報を付添者Ｈ自身に知らせることができる。その結果、付添者Ｈは、安心して報知対象者Ｐを連れ出すことができる。また、付添者Ｈが付き添って連れ出す対象となる報知対象者Ｐを確認できるため、付添者Ｈが連れ出す対象でない別の報知対象者Ｐが外出してしまうといった事象を防止することができる。
【００７１】
続いて、図７〜図８を用いて、監視システムＸの制御方法を説明する。図７には、監視システムＸにおける基本的な報知制御フローが示されており、図８には、警告不要条件（１）〜（３）に基づく具体的な報知制御フローが示されている。
【００７２】
図７に示すように、予め、記憶部４に報知対象者Ｐの登録顔データと警告による報知を行わない警告不要条件とを記憶させておく（＃４０、監視方法の記憶ステップの一例）。報知対象者Ｐは入院患者であり、警告不要条件は、報知対象者Ｐに関連付けられた外出許可期間（上述の警告不要条件（１）〜（２））や共連れ外出条件（上述の警告不要条件（３））である。そして、所定場所を通過する通過人物をカメラＷで撮像し（監視方法の撮像ステップの一例）、管理用サーバーＳは、撮像された通過人物に対応する動画データをカメラＷから取得する（＃４１）。次いで、管理用サーバーＳの検出部８４は、動画データに含まれる通過人物の顔領域を検出する（＃４２）。
【００７３】
次いで、認証部８５は、検出部８４で検出された顔領域から通過人物の特徴として顔の特徴量を抽出し（監視プログラムの入力処理の一例）、当該顔の特徴量と登録顔データに含まれる登録された顔の特徴量とを照合し、類似度に基づいて人物を認証する（＃４３、監視方法の認証ステップの一例、監視プログラムの認証処理の一例）。そして、認証部８５は、通過人物の特徴と登録顔データとの類似度が所定値（例えば８０％）以上の場合に、通過人物が報知対象者Ｐであると認証する（＃４４Ｙｅｓ）。一方、認証部８５は、通過人物の特徴と登録顔データとの類似度が所定値未満の場合は、通過人物が報知対象者Ｐでないと認証し（＃４４Ｎо）、制御部８は報知制御を実行せずに終了する。
【００７４】
次いで、通過人物が報知対象者Ｐであると認証された場合（＃４４Ｙｅｓ）、制御部８は報知対象者Ｐであることの報知を制御する（監視方法の制御ステップの一例、監視プログラムの制御処理の一例）。制御部８は、認証部８５により通過人物が報知対象者Ｐであると認証された場合において、警告不要条件を充足しているか否かを判定する（＃４５、監視プログラムの判定処理の一例）。
【００７５】
＃４５の判定の結果、警告不要条件を充足している場合（＃４５Ｙｅｓ）、制御部８は、警告による報知を実行しないように制御し、警告と異なる態様で報知する（＃４６）。具体的には、表示制御部８２は、図４に示す表示部３の画面右上側「アラートモニター／報知モニター」において、警告を行わなかった理由表示（職員付通知、許可者通知等）及び報知不要条件を充足する報知対象者Ｐ１，Ｐ２に該当する各列に対して異なる表示（例えば職員付報知は青色、許可者通知は水色に着色する等）を実行する。
【００７６】
＃４５の判定の結果、警告不要条件を充足していない場合（＃４５Ｎо）、制御部８は、警告による報知を実行するように制御する（＃４７）。具体的には、表示制御部８２は、図４に示す表示部３に示す表示部３の画面右上側「アラートモニター／報知モニター」において、報知対象者Ｐ３に該当する一列に対して警告の強調表示（例えば赤色で着色する等）を実行すると共に、報知制御部８１は、報知ランプＡｂを赤点灯させたりスピーカーＡａから警告音を鳴らしたりして、監視者等に対して報知するように警告制御する。
【００７７】
次に、図８を用いて、上述した警告不要条件（１）〜（３）に基づく具体的な報知制御方法について説明する。
【００７８】
警告不要条件があり（＃４９Ｙｅｓ）、報知対象者Ｐが付添者Ｈと共にカメラＷにほぼ同時に映っている場合（警告不要条件（３）を充足する場合）（＃５０Ｙｅｓ）、表示制御部８２は、図４に示す表示部３の画面右上側「アラートモニター／報知モニター」において、報知対象者Ｐ１の顔画像を、報知対象者Ｐ１が映っている動画データや登録データに含まれる登録顔画像と共に表示させる（＃５６）。このとき、表示制御部８２は、警告を行わなかった理由表示として、付添者Ｈが共連れする報知対象者Ｐ１であるとして、「職員付通知」を表示させる。そして、通知制御部８３は、警告不要条件（３）を充足している報知対象者Ｐ１に付き添う付添者Ｈに対して、付添者Ｈが所持している携帯端末Ｋを介して付添者Ｈに所定の情報を通知するように制御する（＃５７、図６参照）。
【００７９】
警告不要条件があり（＃４９Ｙｅｓ）、報知対象者Ｐが付添者Ｈと共にカメラＷにほぼ同時に映っていない場合（＃５０Ｎо）、報知対象者Ｐが外出許可者であるか否かを判定する（＃５１）。＃５１の判定の結果、報知対象者Ｐが外出許可者でない場合（＃５１Ｎо）、制御部８は警告による報知を実行する（＃５５）。一方、＃５１の判定の結果、報知対象者Ｐが外出許可者である場合（＃５１Ｙｅｓ）、報知対象者Ｐが外出許可期間中に外出したか否かを判定する（＃５２）。＃５２の判定の結果、報知対象者Ｐが外出許可期間外に外出した場合（＃５２Ｎо）、制御部８は警告による報知を実行する（＃５５）。一方、＃５２の判定の結果、報知対象者Ｐが外出許可期間中に外出した場合（＃５２Ｙｅｓ、報知不要条件（１）を充足する場合）、制御部８は、要注意人物が、カメラＷにほぼ同時に映っているか否かを判定する（＃５３）。
【００８０】
＃５３の判定の結果、要注意人物がカメラＷにほぼ同時に映っている場合（＃５３Ｎо）、制御部８は、外出許可者が要注意人物と一緒に外出する可能性が高いとして、警告による報知を実行する（＃５５）。一方、＃５３の判定の結果、要注意人物がカメラＷにほぼ同時に映っていない場合（＃５３Ｙｅｓ）、表示制御部８２は、図４に示す表示部３の画面右上側「アラートモニター／報知モニター」において、外出許可者である報知対象者Ｐ２の顔画像を、報知対象者Ｐ２が映っている動画データや登録データに含まれる登録顔画像と共に表示させる（＃５４）。このとき、表示制御部８２は、警告を行わなかった理由表示として、外出許可者である報知対象者Ｐ２であるとして、「許可者通知」を表示させる。
【００８１】
＃５４や＃５７の処理が実行された後、制御部８は、報知対象者Ｐが帰院時刻（帰着時刻）以前に戻った否か（警告不要条件（２）を充足するか否か）を判定する（＃５８）。＃５８の判定の結果、報知対象者Ｐが帰院時刻を過ぎても戻っていない状態である場合、表示制御部８２は、表示部３を介して警告による報知を行うように制御する（＃５９）。一例として、監視者等が図４に示す表示部３の画面右中ほど「アプリケーションの起動」において、報知対象者Ｐの履歴情報の一覧表示アプリケーションのアイコンをクリックした場合、表示制御部８２は、図５の「離院／帰院リスト」において、警告不要条件（２）を充足しない報知対象者Ｐ２の顔画像を赤枠で囲んで強調表示させる。その際、表示部３の画面下側において、警告不要条件（２）を充足しない報知対象者Ｐ２がいることを、「外出した患者が帰院時刻を過ぎても戻っていません」というように、強調表示しても良い。他の一例として、図４に示す表示部３の画面下側において、同様の表示があってもよい。
【００８２】
警告不要条件がない場合（＃５１Ｎｏ）、管理者は管理用サーバーＳの表示部３を介して、警告不要条件を設定する（＃６０）。また、警告不要条件がある場合でも、管理者は管理用サーバーＳの表示部３を介して、警告不要条件を変更することができる。このように、警告不要条件を自由に設定することで、報知対象者Ｐであることを報知するとき、要注意人物のみを警告して、それ以外の者に対しては不要な警告をしないことができる。その結果、報知対象者Ｐであれば常に警告が実行されることで監視者等が煩わしさを感じるといった不都合を防止できる。
【００８３】
［その他の実施形態］
（１）施設における所定場所は、病院の出入口に限定されず、ＶＩＰの出入口、介護施設の出入口、マンションの共同利用施設の出入口、機密性のある部屋の出入口、その他の施設の出入口であっても良い。また、所定場所は、施設の内部又は外部において通過人物を確認できる場所であれば特に限定されない。
（２）病院の出入口に設けられるカメラＷは、４つに限定されず、病院を出入りする通過人物を撮像できる個数であれば１つでも４つ以外の複数であっても良い。また、病院の出入口は、出口と入口を別のドアで構成しても良いし、出口と入口に夫々１つのカメラＷ又は３つ以上のカメラＷを設けても良い。
（３）人物の特徴としては、顔の特徴量だけでなく、人物の姿（シルエット）、服の色・柄、眼鏡等の人物が有する属性のうち少なくとも１つを含むものであっても良い。
（４）報知装置Ａは、管理用サーバーＳにも内蔵されていても良いし、出入口付近に設けられていても良い。また、表示部３は管理用サーバーＳではなく、職員が携帯する携帯端末（タブレット等）にあっても良い。
（５）上述した監視システムＸの報知形態として、報知装置Ａ、表示部３及び携帯端末Ｋを用いた例を示したが、何れか１つのみであっても良いし、何れか２つを組み合わせても良い。また、報知形態として、出入口のドアを施錠，開錠する形態であっても良い。
（６）管理用サーバーＳに警告不要条件を管理者等が手動で入力しても良いし、他の装置の警告不要条件が管理用サーバーＳに自動転送しても良い。
（７）外出した外出許可者が帰院時刻までに戻った場合、この外出許可者の履歴情報を消去しても良い。
（８）付添者Ｈに対する通知形態として、携帯端末Ｋを用いた例を示したが、出入口付近に設けられた報知装置Ａを用いて通知しても良く、特に限定されない。
【産業上の利用可能性】
【００８４】
本発明は、所定場所を通過する通過人物を撮像し、通過人物が予め登録された人物であれば報知する監視システム、監視方法および監視プログラムに利用可能である。
【符号の説明】
【００８５】
２        ：受付部
３        ：表示部
４        ：記憶部
６        ：認証部
８        ：制御部
Ｋ        ：携帯端末（通知部）
Ｐ        ：報知対象者
Ｐ１      ：報知対象者
Ｐ２      ：報知対象者
Ｗ        ：カメラ（撮像部）
Ｘ        ：監視システム
【図１】
2020160573.tif 000003
【図２】
2020160573.tif 000004
【図３】
2020160573.tif 000005
【図４】
2020160573.tif 000006
【図５】
2020160573.tif 000007
【図６】
2020160573.tif 000008
【図７】
2020160573.tif 000009
【図８】
2020160573.tif 000010